(57)【要約】【課題】防水コネクタが大型化することを防ぎつつ、各電線に対するシール性を高める。【解決手段】本明細書によって開示される防水コネクタ１０は、電線Ｗの端末に接続される雌端子２０と、雌端子２０を後方から収容するキャビティ３１が複数形成された雌ハウジング３０と、雌ハウジング３０の前端部に設けられた端子収容部４０に収容され、隣り合う２つの雌端子２０を短絡させるショート端子５０と、雌ハウジング３０の後部に収容され、電線Ｗが挿通される複数の貫通孔６２が設けられた一括ゴム栓６０と、雌ハウジング３０に装着され、一括ゴム栓６０を抜け止めするリアホルダ７０と、一括ゴム栓６０に設けられ、端子収容部４０の後方の領域に配される凹部６５と、リアホルダ７０に突設され、凹部６５に後方から圧入される圧縮突部７５とを備えるところに特徴を有する。【選択図】図１１
2015210952.tif 000002
【特許請求の範囲】
【請求項１】
電線の端末に接続される端子金具と、
前記端子金具と共に前記電線を後方から収容するキャビティが横並びに複数形成されたハウジングと、
前記ハウジングの前端部に前記複数の端子金具の並びに沿って設けられ、前記複数の端子金具を短絡させるショート端子を収容する端子収容部と、
前記ハウジング内に後方から嵌着され、前記電線が挿通される複数の貫通孔が前記キャビティに対応して横並びに設けられたシール部材と、
前記ハウジングの前記シール部材の後方に装着され、前記シール部材を抜け止めするリアホルダと、
前記シール部材に前記貫通孔の並びに沿って設けられ、前記ハウジングにおいて前記複数の端子収容部が形成された横長な端子収容領域の後方に配される複数の凹部と、
前記リアホルダに突設され、前記凹部に後方から圧入されることで前記貫通孔を縮径させる方向に前記シール部材を押圧する複数の圧縮突部とを備える防水コネクタ。
【請求項２】
前記凹部は、前記複数の貫通孔の範囲に亘って形成されている請求項１に記載の防水コネクタ。
【請求項３】
前記キャビティは、並び方向と直交する高さ方向に複数段に亘って形成されており、
前記凹部は、高さ方向に隣り合う前記貫通孔の間に形成されている請求項１または請求項２に記載の防水コネクタ。
【発明の詳細な説明】
【技術分野】
【０００１】
本発明は、防水コネクタに関する。
【背景技術】
【０００２】
例えば、電線の挿通孔が複数形成された防水パッキンを有する防水コネクタとして、特開２００２−２５２０５６号公報（特許文献１）に記載のものが知られている。防水パッキンは、ハウジングの後部に後方から嵌装され、ハウジングの後端部に装着されるリアホルダによって抜け止めされている。
【０００３】
リアホルダは、仮係止位置と本係止位置との間を前後方向に移動可能とされている。リアホルダには、防水パッキンの外周を囲む環状部が設けられており、リアホルダを仮係止位置から本係止位置へ移動させると、環状部が防水パッキンを外側から内側に向けて圧縮されることで、電線と防水パッキンとの密接力が高められるようになっている。
【先行技術文献】
【特許文献】
【０００４】
【特許文献１】特開２００２−２５２０５６号公報
【発明の概要】
【発明が解決しようとする課題】
【０００５】
ところで、上記の防水コネクタによると、防水パッキンを外側から圧縮するため、リアホルダの環状部が防水パッキンよりも大型化し、防水コネクタが大型化してしまう。また、電線の挿通孔が多段化されて上下左右に複数で構成される場合、防水パッキンを外側から圧縮するだけでは、中央部分に配された挿通孔を圧縮することができず、中央部分に配された電線に対する防水パッキンのシール性が低下してしまう。
【０００６】
本明細書では、防水コネクタが大型化することを防ぎつつ、各電線に対するシール性を高める技術を開示する。
【課題を解決するための手段】
【０００７】
本明細書によって開示される技術は、電線の端末に接続される端子金具と、前記端子金具と共に前記電線を後方から収容するキャビティが横並びに複数形成されたハウジングと、前記ハウジングの前端部に前記複数の端子金具の並びに沿って設けられ、前記複数の端子金具を短絡させるショート端子を収容する端子収容部と、前記ハウジングに後方から嵌着され、前記電線が挿通される複数の貫通孔が前記キャビティに対応して横並びに設けられたシール部材と、前記ハウジングにおける前記シール部材の後方に装着され、前記シール部材を抜け止めするリアホルダと、前記シール部材に前記貫通孔の並びに沿って設けられ、前記ハウジングにおいて前記複数の端子収容部が形成された横長な端子収容領域の後方に配される複数の凹部と、前記リアホルダに突設され、前記凹部に後方から圧入されることで前記貫通孔を縮径させる方向に前記シール部材を押圧する複数の圧縮突部とを備えるところに特徴を有する。
【０００８】
このような構成によると、複数の端子収容部が形成された横長な端子収容領域の後方に凹部および圧縮突部を設けたことで、端子収容部の後方に生じるデッドスペースを有効利用しつつ、貫通孔に沿った位置において貫通孔を縮径させる方向にシール部材を押圧することができる。これにより、リアホルダ、ひいては防水コネクタが大型化することを防ぎつつ、各電線とシール部材との間のシール性を高めることができる。
【０００９】
本明細書によって開示される技術の態様として、以下の構成が好ましい。
前記凹部は、前記複数の貫通孔の範囲に亘って形成されている構成としてもよい。
このような構成によると、１つの圧縮突部によって複数の貫通孔を一括して縮径させることができる。したがって、シール部材およびリアホルダの構造を簡素化することができ、防水コネクタの製造コストを低減させることができる。
【００１０】
前記キャビティは、並び方向と直交する高さ方向に複数段に亘って形成されており、前記凹部は、高さ方向に隣り合う前記貫通孔の間に形成されている構成としてもよい。
このような構成によると、１つの圧縮突部によって、高さ方向に隣り合う両貫通孔を圧縮することができる。
【発明の効果】
【００１１】
本明細書によって開示される技術によれば、防水コネクタが大型化することを防ぎつつ、各電線に対するシール性を高めることができる。
【図面の簡単な説明】
【００１２】
【図１】実施形態１に係る防水コネクタの斜視図
【図２】同正面図
【図３】防水コネクタの一部分解斜視図
【図４】図２のＡ−Ａ線における斜視断面図
【図５】一括ゴム栓の背面図
【図６】リアホルダの正面図
【図７】ショート端子の斜視図
【図８】雌ハウジングに雌端子および電線を挿入する前の状態を示す断面図であって、図４の断面に相当する縦断面図
【図９】雌ハウジングに雌端子および電線を挿入する過程の状態を示す断面図であって、図４の断面に相当する縦断面図
【図１０】雌ハウジングに雌端子および電線が挿入され、リアホルダが仮係止位置に配された状態を示す断面図であって、図４の断面に相当する縦断面図
【図１１】雌ハウジングに雌端子および電線が挿入され、リアホルダが本係止位置に配された状態を示す断面図であって、図４の断面に相当する縦断面図
【図１２】リテーナが本係止状態に変位した状態を示す断面図であって、図４の断面に相当する縦断面図
【図１３】実施形態２に係る防水コネクタの正面図
【図１４】一括ゴム栓の背面図
【図１５】リアホルダの斜視図
【図１６】同正面図
【発明を実施するための形態】
【００１３】
＜実施形態１＞
実施形態１ついて図１から図１２を参照して説明する。
本実施形態は、回動操作することで図示しない相手方コネクタとの嵌合および離脱を助勢するレバーＬを有する防水コネクタ１０を例示している。防水コネクタ１０は、図１０から図１２に示すように、電線Ｗの端末に接続される雌端子（「端子金具」の一例）２０と、雌端子２０および電線Ｗを後方から収容するキャビティ３１が複数並んで形成された合成樹脂製の雌ハウジング（「ハウジング」の一例）３０と、複数の雌端子２０を短絡状態にするショート端子５０と、雌ハウジング３０の後部に嵌着される一括ゴム栓（「シール部材」の一例）６０と、雌ハウジング３０の後端部に装着されることで一括ゴム栓６０の後方への抜け止めをする合成樹脂製のリアホルダ７０と、を備えて構成されている。なお、以下の説明において、上下方向とは高さ方向に相当し、図２における上下方向を基準とする。また、前後方向とは、図８の左方を前方、右方を後方として説明する。
【００１４】
雌端子２０は、導電性に優れた金属板材をプレス加工して形成されている。雌端子２０は、図８に示すように、角筒状をなす端子接続部２１の後方に電線接続部２３が設けられた形態とされており、電線接続部２３が電線Ｗの端末にかしめ圧着されることで、電線Ｗの端末に雌端子２０が接続されている。
端子接続部２１には、相手方コネクタに設けられた図示しない雄端子が前方から挿入されることで、端子接続部２１と雄端子とが電気的に接続されるようになっている。
【００１５】
ショート端子５０は、導電性に優れた金属板材をプレス加工して形成されている。ショート端子５０は、図７に示すように、底板５１の後縁から幅方向に２つに分かれた形態で前方に向けて折り返された一対の弾性片５２を有しており、各弾性片５２は、折り返し部分を支点に上下に弾性変位可能とされている。
弾性片５２の前端部は、上方に突出する山形状に形成されており、頂点部分が雌端子２０における端子接続部２１の下面に接触する接点部５３とされている。
【００１６】
雌ハウジング３０は、図１から図４に示すように、略方形のブロック状をなし、雌ハウジング３０の内部には、雌端子２０および電線Ｗを収容する複数のキャビティ３１が前後方向に貫通して形成されている。
複数のキャビティ３１は、図２に示すように、幅方向横並びに複数（本実施形態では８つ）配された一群が上下方向に複数段（本実施形態では４段）に亘って配された構成とされている。
【００１７】
各キャビティ３１の前端部分には、図４および図８から図１２に示すように、雌端子２０の端子接続部２１を後方から係止するランス３２が形成されている。このランス３２はキャビティ３１の上面から前方に向けて片持ち状に形成されており、雌端子２０がキャビティ３１の正規の位置に至ると、ランス３２が端子接続部２１の上面に設けられた係止部２２を後方から係止することで、雌端子２０がキャビティ３１内に抜け止めされている。
雌ハウジング３０のランス３２の後方には、リテーナ３５が装着されるリテーナ装着孔３４が上方に開口して形成されており、このリテーナ装着孔３４は、各キャビティ３１に連通している。
【００１８】
リテーナ３５は、リテーナ装着孔３４の上端開口を塞ぐ蓋部３６から板状のリテーナ本体３７が下方に延出された形態をなしており、リテーナ本体３７には、各キャビティ３１に対応する通し孔３８が前後に貫通して形成されている。各通し孔３８の上面には、雌端子２０における端子接続部２１の後端部と係止する抜け止め部３９が形成されており、リテーナ３５を図１１に示す仮係止状態からリテーナ装着孔３４に対してリテーナ本体３７が完全に挿入された本係止状態（図１２を参照）に変位させると、端子接続部２１が抜け止め部３９によって後方から係止され、雌端子２０が二重に係止された状態となる。
【００１９】
雌ハウジング３０の前端部には、ショート端子５０を前方から収容する端子収容部４０が複数設けられている。複数の端子収容部４０は、図８に示すように、上下方向に隣り合うキャビティ３１の間に生じる幅方向に横長な端子収容領域３３に設けられており、各端子収容部４０は横並びとなる２つのキャビティ３１に対して１つずつの割合で形成されている。また、各端子収容部４０は、上方に配された２つのキャビティ３１と上下に連通しており、端子収容部４０内にショート端子５０が収容された状態でキャビティ３１に雌端子２０が収容されると、ショート端子５０が上方の２つのキャビティ３１に収容された雌端子２０の端子接続部２１に接触し、隣り合う２つの雌端子２０が短絡するようになっている。
【００２０】
また、雌ハウジング３０の前部には、図４および図８から図１２に示すように、雌ハウジング３０の前部を前方から覆うフード状のフロントホルダ４２が装着されている。雌ハウジング３０にフロントホルダ４２が装着されると、雌ハウジング３０の前後方向略中央部に外嵌されたシールリング４３がフロントホルダ４２の後端部によって抜け止めされ、ショート端子５０がフロントホルダ４２の前壁によって抜け止めされるようになっている。
【００２１】
雌ハウジング３０の後部には、後方に開口する収容凹部４５が雌ハウジング３０の後面から前方に凹んで形成されている。この収容凹部４５内には、図３、図４および図８から図１２に示すように、一括ゴム栓６０およびリアホルダ７０が後方から嵌合可能とされている。
一括ゴム栓６０は含油シリコン等を素材とし、図５に示すように、背面視略矩形状に形成されている。一括ゴム栓６０は、前後方向に肉厚な板状をなしており、一括ゴム栓６０の外周には、収容凹部４５の内周面に対して弾性的に密着して一括ゴム栓６０と収容凹部４５の内周面との間をシールする外周リップ６１が前後方向に２条並んで形成されている。
【００２２】
また、一括ゴム栓６０には、電線Ｗが個別に挿通される複数の貫通孔６２が前後方向に貫通して形成されている。複数の貫通孔６２は、各キャビティ３１に対応して形成されており、各貫通孔６２における前後の開口の上下寸法は、雌端子２０の端子接続部２１の上下寸法よりも大きく設定されている。また、各貫通孔６２の内周面における前後方向略中央部には、電線Ｗの外周面に弾性的に密着する内周リップ６３が前後方向に２条並んで周設されている。これらの内周リップ６３は、互いに近づくほど貫通孔６２の軸心に向けて突出する肉厚な形態に形成されており、内周リップ６３が電線Ｗの外周面に密着することで一括ゴム栓６０と電線Ｗとの間をシールするようになっている。
【００２３】
リアホルダ７０は、正面視略矩形状をなす前後方向に肉厚な板状に形成されており、収容凹部４５内に適合して嵌合される大きさとされている。リアホルダ７０には、一括ゴム栓６０の貫通孔６２から後方に引き出される電線Ｗを個別に挿通させる複数の挿通孔７１が前後方向に貫通して形成されている。複数の挿通孔７１は、一括ゴム栓６０の複数の貫通孔６２に対応して形成されており、各挿通孔７１は、収容凹部４５に開口するキャビティ３１の後端開口とほぼ同じ大きさとされている。
【００２４】
リアホルダ７０の外周面における上下面には、一対の係止突部７３がそれぞれ形成されており、リアホルダ７０の外周面における両側面には、一対の弾性係止片７４がそれぞれ形成されている。
各係止突部７３は、雌ハウジング３０の上下面に形成された一対の仮係止孔４６にそれぞれ嵌合可能とされており、各係止突部７３が対応する仮係止孔４６にそれぞれ嵌合することで、リアホルダ７０が図８から図１０に示す仮係止位置に保持されるようになっている。
【００２５】
各弾性係止片７４は、内側に向けて弾性変位可能に形成されており、雌ハウジング３０の幅方向両側に形成された一対の本係止孔４７にそれぞれ嵌合可能とされている。各弾性係止片７４が対応する本係止孔４７にそれぞれ嵌合することで、リアホルダ７０が図１１および図１２に示す本係止位置に保持されるようになっている。また、リアホルダ７０が本係止位置に保持されると、リアホルダ７０の前面が一括ゴム栓６０の後面に接触した状態となり、一括ゴム栓６０が収容凹部４５内にて位置決めされた状態で抜け止めされる。
【００２６】
さて、一括ゴム栓６０の後面には、前方に向かって凹んだ有底の凹部６５が複数（本実施形態では４つ）形成されており、リアホルダ７０の前面には、一括ゴム栓６０の凹部６５に後方から圧入される圧縮突部７５が複数（本実施形態では４つ）設けられている。
【００２７】
凹部６５は、幅方向横並びとなる複数の貫通孔６２の並びに沿った形態で、貫通孔６２が配された領域の全幅に亘って横並びに４つ形成されており、上下方向に隣り合う貫通孔６２の間に配されている。また、凹部６５は、貫通孔６２の２つ分に亘る幅寸法を有した幅方向横長な略矩形状をなしており、凹部６５の下面は、下方に配された貫通孔６２の上縁に沿うように、幅方向両端部と幅方向略中央部と間が円弧状に盛り上がった形態をなしている。
つまり、各凹部６５は、ショート端子５０が収容される端子収容部４０が設けられた端子収容領域３３の後方のスペースにおいて、貫通孔６２の上下のうちの少なくとも何れか一方に形成されている。
【００２８】
また、凹部６５の奥部における上下面には、リアホルダ７０の圧縮突部７５によって押圧される圧縮リップ６６が全幅に亘った形態で前後方向に一対並んで突設されている。これらの圧縮リップ６６は、互いに近づくほど内側に向けて突出する肉厚な形態に形成されており、貫通孔６２の内周リップ６３の前後方向の位置とほぼ同じ位置に配されている。
【００２９】
一方、各圧縮突部７５は、挿通孔７１の２つ分に亘る幅寸法を有する幅方向に横長な略矩形板状をなしており、一括ゴム栓６０の凹部６５と同様に、幅方向に４つ並んで形成されている。圧縮突部７５は、リアホルダ７０の前面から前方に突出した形態とされており、圧縮突部７５の突出寸法は、凹部６５の深さ寸法とほぼ同じに設定されている。また、各圧縮突部７５の下面は、幅方向両端部と幅方向略中央部と間が円弧状に凹んだ形態をなしている。
【００３０】
また、各圧縮突部７５は、上下方向に隣り合う挿通孔７１の間であって、一括ゴム栓６０の凹部６５と対応する位置に設けられており、圧縮突部７５の外周形状は、凹部６５の内周形状よりも僅かに大きく形成されている。
したがって、圧縮突部７５は、リアホルダ７０を仮係止位置から本係止位置に変位させる過程で、凹部６５内の圧縮リップ６６を上下に押圧し、凹部６５を上下方向に押し広げながら凹部６５内に進入する。そして、圧縮突部７５が凹部６５内に完全に挿入されると、図１１に示すように、凹部６５の上下に配された貫通孔６２の内周リップ６３がそれぞれの貫通孔６２を縮径させる方向に押圧された状態となる。
【００３１】
つまり、凹部６５内に圧縮突部７５が圧入されると、圧縮リップ６６を介して内周リップ６３が貫通孔６２を上下から縮径する方向に押圧された状態となり、内周リップ６３が電線Ｗに対して強く密着することで電線Ｗと一括ゴム栓６０との間のシール性が高められるようになっている。
【００３２】
本実施形態は、以上のような構成であって、続いて、電線Ｗの端末に接続された雌端子２０を雌ハウジング３０に組み付けて防水コネクタ１０を組み立てる手順の一例を簡単に説明すると共に、防水コネクタ１０の作用および効果について説明する。
【００３３】
まず、図８に示すように、電線Ｗの端末に接続された雌端子２０を雌ハウジング３０の後方に配置し、雌端子２０を後方からキャビティ３１に挿入する。
ここで、雌端子２０は、図９に示すように、リアホルダ７０の挿通孔７１に後方から挿入され、端子接続部２１は、挿通孔７１内を前方に向けて滑らかに進入する。
【００３４】
端子接続部２１の先端が挿通孔７１を通過したところで、一括ゴム栓６０の貫通孔６２に進入する。ここで、貫通孔６２の後端開口は端子接続部２１よりも上下に大きく開口しており、貫通孔６２は縮径される前の状態であるから、端子接続部２１は内周リップ６３を滑らかに乗り越えて貫通孔６２に進入する。
【００３５】
そして、端子接続部２１がキャビティ３１の正規の位置に至ると、端子接続部２１の下面が下方に配されたショート端子５０における弾性片５２の接点部５３に接触した状態となり、端子接続部２１の係止部２２がランス３２によって後方から係止されることで、雌端子２０の後方への抜け止めがなされる。また、このとき、一括ゴム栓６０の内周リップ６３が電線Ｗの外周面に弾性的に密着し、外周リップ６１が収容凹部４５の内周面に全周に亘って弾性的に密着した状態となる。
そして、図１０に示すように、全ての雌端子２０の挿入作業が完了すると、隣り合う２つの雌端子２０がそれぞれ短絡された状態となる。
【００３６】
次に、仮係止位置に保持されたリアホルダ７０を収容凹部４５に押し込んで本係止位置に変位させる（図１１参照）。ここで、リアホルダ７０が前方へ押圧されると、リアホルダ７０の圧縮突部７５が一括ゴム栓６０の凹部６５内に進入し、圧縮リップ６６を上下に押圧する。すると、凹部６５の上下に配された貫通孔６２の内周リップ６３が貫通孔６２を上下から縮径するように押圧された状態となる。これにより、内周リップ６３が電線Ｗに対して強く密着すると共に、外周リップ６１が収容凹部４５の内周面に強く密着した状態となり、電線Ｗと雌ハウジング３０との間のシール性が高い状態に確保される。
【００３７】
最後に、仮係止状態のリテーナ３５をリテーナ装着孔３４に挿入して、図１２に示す本係止状態にし、端子接続部２１をリテーナ本体３７の抜け止め部３９によって後方から係止する。これにより、雌端子２０がランス３２とリテーナ３５とによって二重に係止され、防水コネクタ１０が完成する。
【００３８】
以上のように、本実施形態によると、ショート端子５０を収容する端子収容部４０が設けられた端子収容領域３３の後方に生じるデッドススペースを有効利用して、一括ゴム栓６０に凹部６５を形成し、この凹部６５に対してリアホルダ７０の圧縮突部７５を圧入することで、貫通孔６２を縮径させる方向に内周リップ６３を押圧することができる。
つまり、従来のように、防水パッキンなどのゴム栓を外側から圧縮する必要がないから、リアホルダ７０が一括ゴム栓６０よりも大型化してしまうことを防ぐことができる。
【００３９】
また、デッドスペースに設けた一括ゴム栓６０の凹部６５は、全ての貫通孔６２の上下のうちの少なくとも何れか一方に形成されているから、リアホルダ７０の圧縮突部７５によって全ての貫通孔６２を縮径させる方向に内周リップ６３を押圧することができる。これにより、各電線Ｗと一括ゴム栓６０とのシール性を高めることができる。
【００４０】
また、本実施形態によると、一括ゴム栓６０の凹部６５およびリアホルダ７０の圧縮突部７５が、幅方向に横並びとなる２つの貫通孔６２および挿通孔７１に対して、１つずつ形成されていると共に、上下に隣り合う貫通孔６２および挿通孔７１の間に形成されているから、例えば、貫通孔１つに対して凹部および圧縮突部が１つずつ形成されているものに比べて、一括ゴム栓６０およびリアホルダ７０の構造を簡素化することができる。これにより、一括ゴム栓６０およびリアホルダ７０の製造コスト、ひいては防水コネクタ１０の製造コストを低減させることができる。
【００４１】
＜実施形態２＞
次に、実施形態２について図１３から図１６を参照して説明する。
実施形態２の防水コネクタ１１０は、実施形態１における雌ハウジング３０のキャビティ３１の数、一括ゴム栓６０の貫通孔６２の数および凹部６５の幅寸法、リアホルダ７０の挿通孔７１の数および圧縮突部７５の幅寸法を変更したものであって、実施形態１と共通する構成、作用、および効果については重複するため、その説明を省略する。また、実施形態１と同じ構成については同一の符号を用いるものとする。
【００４２】
実施形態２の雌ハウジング１３０におけるキャビティ３１は、図１３に示すように、実施形態１における雌ハウジング３０のキャビティ３１よりも幅方向に１つ多く形成されており、これに伴い、一括ゴム栓１６０の貫通孔６２およびリアホルダ１７０の挿通孔７１も、図１４から図１６に示すように、幅方向に１つ多く形成されている。
【００４３】
また、一括ゴム栓１６０の凹部１６５は、図１４に示すように、貫通孔６２の３つ分に亘る幅寸法を有した幅方向横長な略矩形状をなしており、図１５および図１６に示すように、リアホルダ１７０の圧縮突部１７５も、凹部１６５と同様に、挿通孔７１の３つ分に亘る幅寸法を有した幅方向横長な略矩形状をなしている。また、圧縮突部１７５は、その上面が下面と同様に、挿通孔７１に対応するように円弧状に凹んだ状態となることで、上下対称な形態をなしている。
【００４４】
つまり、本実施形態によると、一括ゴム栓１６０の凹部１６５およびリアホルダ１７０の圧縮突部１７５は、幅方向に３つずつ並んだ構成となっており、例えば、貫通孔１つに対して凹部および圧縮突部が１つずつ形成されているものに比べて、一括ゴム栓１６０およびリアホルダ１７０の構造を格段に簡素化することができ、防水コネクタ１１０の製造コストを低減させることができるようになっている。
また、圧縮突部１７５が挿通孔７１に対応するように円弧状に凹んで形成されているから、圧縮突部１７５を凹部１６５に圧入した際に、内周リップ６３を電線Ｗの外周面に追従させるように押圧することができるようになっている。
【００４５】
＜他の実施形態＞
本明細書で開示される技術は上記記述及び図面によって説明した実施形態に限定されるものではなく、例えば次のような実施形態も技術的範囲に含まれる。
（１）上記実施形態では、ショート端子５０を収容する端子収容部４０をキャビティ３１の下方に連通して構成した。しかしながら、これに限らず、端子収容部をキャビティの上方に連通して構成してもよい。
（２）上記実施形態では、貫通孔６２の２つ分または３つ分の幅寸法を有する凹部６５，１６５を形成すると共に、挿通孔７１の２つ分または３つ分の幅寸法を有する圧縮突部７５，１７５を形成する構成とした。しかしながら、これに限らず、貫通孔の１つ分の幅寸法を有する凹部を形成すると共に、挿通孔の１つ分の幅寸法を有する圧縮突部を形成する構成としてもよく、貫通孔の４つ分以上の幅寸法を有する凹部を形成すると共に、挿通孔の４つ分以上の幅寸法を有する圧縮突部を形成する構成としてもよい。
【００４６】
（３）上記実施形態では、雌端子２０を収容する雌ハウジング３０を有する防水コネクタを一例として示した。しかしながら、これに限らず、雄端子を収容する雄ハウジングを有する防水コネクタに本明細書で開示した技術を適用してもよい。
（４）上記実施形態では、レバーＬを備えた防水コネクタ１０を一例として示した。しかしながら、これに限らず、レバーが設けられていない防水コネクタに本明細書で開示した技術を適用してもよい。
【符号の説明】
【００４７】
１０：防水コネクタ
２０：雌端子（端子金具）
３０：雌ハウジング（ハウジング）
３１：キャビティ
４０：端子収容部
５０：ショート端子
６０：一括ゴム栓（シール部材）
６２：貫通孔
６５：凹部
７０：リアホルダ
７５：圧縮突部
Ｗ：電線
【図１】
2015210952.tif 000003
【図２】
2015210952.tif 000004
【図３】
2015210952.tif 000005
【図４】
2015210952.tif 000006
【図５】
2015210952.tif 000007
【図６】
2015210952.tif 000008
【図７】
2015210952.tif 000009
【図８】
2015210952.tif 000010
【図９】
2015210952.tif 000011
【図１０】
2015210952.tif 000012
【図１１】
2015210952.tif 000013
【図１２】
2015210952.tif 000014
【図１３】
2015210952.tif 000015
【図１４】
2015210952.tif 000016
【図１５】
2015210952.tif 000017
【図１６】
2015210952.tif 000018